(57)【要約】【課題】  回転ドラムに設ける凹溝の数を少なくすることで、昇降装置を小型化すると共に製造コストを低く抑えることができる照明用昇降装置を提供する。【解決手段】  天井に取り付けられる昇降装置本体１と、前記昇降装置本体１に回転自在に支持される回転ドラム２と、前記回転ドラム２を回転駆動させるための駆動モーター５と、前記回転ドラム２の外周部に巻回されるワイヤ６と、前記ワイヤ６の一端部に照明器具８が取り付けられ、前記照明器具８は、前記回転ドラム２の回転により前記ワイヤ６を前記回転ドラム２に巻取られ又は前記回転ドラム２より送出されることにより自在に昇降される照明用昇降装置であって、前記ワイヤ６は複数本であって、前記回転ドラム２の外周部には回転面と平行かつ全周にわたる一条の凹溝２０が設けられ、前記ワイヤ６複数本を前記凹溝２０を含む略平面内で該平面視巴状となるように前記凹溝２０に巻き取り収納される。【選択図】図１
2008091152.tif 000002
【特許請求の範囲】
【請求項１】
天井に取り付けられる昇降装置本体と、前記昇降装置本体に回転自在に支持される回転ドラムと、前記回転ドラムを回転駆動させるための駆動モーターと、前記回転ドラムの外周部に巻回されるワイヤと、前記ワイヤの一端部に照明器具が取り付けられ、前記照明器具は、前記回転ドラムの回転により前記ワイヤを前記回転ドラムに巻取られ又は前記回転ドラムより送出されることにより自在に昇降される照明用昇降装置であって、前記ワイヤは複数本であり、前記回転ドラムの外周部には回転面と平行かつ全周にわたる一条の凹溝が設けられ、前記ワイヤ複数本を前記凹溝を含む略平面内で該平面視巴状となるように前記凹溝に巻き取り収納されて成ることを特徴とする照明用昇降装置。
【請求項２】
回転ドラムの凹溝を含む略平面が水平となるように配設して成ることを特徴とする請求項１記載の照明用昇降装置。
【請求項３】
ワイヤが、前記回転ドラムに３６０°／ｎ（ｎはワイヤの本数）の等角度間隔で係止され、前記回転ドラムの外周略接線方向に導出されることを特徴とする請求項１又は請求項２記載の照明用昇降装置。
【請求項４】
回転ドラムを、凹溝の一方の内側壁となる壁部を有するドラム本体と、凹溝の他方の内側壁となる壁部を有するワイヤ押え部とで主体を構成すると共に、前記ドラム本体部とワイヤ押え部の少なくとも一方に凹溝の底面となる壁部を形成し、前記ドラム本体部とワイヤ押え部の前記凹溝の内側壁となる両壁部がワイヤの太さと略同じか若干大きい隙間を介して対向するようにワイヤ押え部をドラム本体部に固定して成ることを特徴とする請求項１乃至請求項３のいずれかに記載の照明用昇降装置。
【請求項５】
前記ドラム本体部とワイヤ押え部の前記凹溝の内側壁となる両壁部の隙間を可変として成ることを特徴とする請求項４記載の照明用昇降装置。
【発明の詳細な説明】
【技術分野】
【０００１】
本発明は、天井に取り付けられる照明用昇降装置に関するものである。
【背景技術】
【０００２】
従来より、天井から吊り下げられる照明器具を昇降させる照明用昇降装置が用いられている（例えば特許文献１参照）。この照明用昇降装置は、天井に取り付けられる昇降装置本体と、この昇降装置本体に回転自在に支持される回転ドラムと、この回転ドラムを回転駆動させるための駆動モーターと、前記回転ドラムの外周部に巻回されるワイヤと、このワイヤの一端部に照明器具が取り付けられる。そして、前記回転ドラムの回転により前記ワイヤを前記回転ドラムに巻取り／送出することにより昇降自在とするものである。
【０００３】
このような従来の照明用昇降装置においては、照明器具に一端が取り付けられる複数本のワイヤを回転ドラムに巻取り／送出するのであるが、回転ドラムには、外周部に各ワイヤ用の凹溝を別々に設け、前記各凹溝に各ワイヤをそれぞれ巻取るようにしてある。すなわち、回転ドラムの回転軸方向に各ワイヤを巻取る凹溝を並設し、各ワイヤは回転ドラムの回転軸方向のずれた位置に並設された凹溝にそれぞれ巻取られるものである。
【０００４】
しかしながら、この場合、回転ドラムの回転軸方向に各ワイヤを巻取る凹溝をワイヤの本数分並設するため、回転ドラムの回転軸方向の長さが長くなり、昇降装置が大型化する、という問題があった。また、凹溝が設けられる回転ドラムは、単一の部品として形成する場合には、凹溝を形成するため金型構造が複雑となって高価となってしまい、また複雑な金型を使用せずにすむよう複数の部品で形成する場合、凹溝の数が多くなる程部品点数が増えて高価となってしまい、製造コストが高くなる、という問題もあった。
【特許文献１】特開平７−２８８０２６号公報
【発明の開示】
【発明が解決しようとする課題】
【０００５】
本発明は上記の点に鑑みてなされたものであり、その目的とするところは、回転ドラムに設ける凹溝の数を少なくすることで、昇降装置を小型化すると共に製造コストを低く抑えることができる照明用昇降装置を提供することを目的とする。
【課題を解決するための手段】
【０００６】
上記課題を解決するために請求項１に係る発明にあっては、天井に取り付けられる昇降装置本体１と、前記昇降装置本体１に回転自在に支持される回転ドラム２と、前記回転ドラム２を回転駆動させるための駆動モーター５と、前記回転ドラム２の外周部に巻回されるワイヤ６と、前記ワイヤ６の一端部に照明器具８が取り付けられ、前記照明器具８は、前記回転ドラム２の回転により前記ワイヤ６を前記回転ドラム２に巻取られ又は前記回転ドラム２より送出されることにより自在に昇降される照明用昇降装置であって、前記ワイヤ６は複数本であり、前記回転ドラム２の外周部には回転面と平行かつ全周にわたる一条の凹溝２０が設けられ、前記ワイヤ６複数本を前記凹溝２０を含む略平面内で該平面視巴状となるように前記凹溝２０に巻き取り収納されて成ることを特徴とするものである。
【０００７】
このような構成とすることで、回転ドラム２に形成する凹溝２０が一条で済んで、回転ドラム２に形成する凹溝２０の幅が短くて済み、回転ドラム２の回転軸方向の長さを短縮できる。
【０００８】
また、請求項２に係る発明にあっては、請求項１に係る発明において、回転ドラム２の凹溝２０を含む略平面が水平となるように配設して成ることを特徴とするものである。
【０００９】
このような構成とすることで、回転ドラム２の上下長さを短くし、照明用昇降装置の上下長さを短くすることができる。
【００１０】
また、請求項３に係る発明にあっては、請求項１又は請求項２に係る発明において、ワイヤ６が、前記回転ドラム２に３６０°／ｎ（ｎはワイヤ６の本数）の等角度間隔で係止され、前記回転ドラム２の外周略接線方向に導出されて成ることを特徴とするものである。
【００１１】
このような構成とすることで、照明器具８（特に丸型照明器具８）を吊り下げる場合に照明器具８側へのワイヤ６の係止位置を正多角形状に（すなわち点対称に）配置可能となり、バランスよく吊り下げ易いものである。
【００１２】
また、請求項４に係る発明にあっては、請求項１乃至請求項３に係る発明において、回転ドラム２を、凹溝２０の一方の内側壁となる壁部を有するドラム本体３と、凹溝２０の他方の内側壁となる壁部を有するワイヤ押え部４とで主体を構成すると共に、前記ドラム本体３とワイヤ押え部４の少なくとも一方に凹溝２０の底面２０ａとなる壁部を形成し、前記ドラム本体３部とワイヤ押え部４の前記凹溝２０の内側壁となる両壁部がワイヤ６の太さと略同じか若干大きい隙間Ｓを介して対向するようにワイヤ押え部４をドラム本体３に固定して成ることを特徴とするものである。
【００１３】
このような構成とすることで、ドラム本体３部とワイヤ押え部４とを別々の部材とし、一つの部材に凹溝２０のような凹みが形成されて、スライド金型が必要となり金型構造が複雑となって製造コストが高くなってしまう、といったことがない。
【００１４】
また、請求項５に係る発明にあっては、請求項４に係る発明において、前記ドラム本体３部とワイヤ押え部４の前記凹溝２０の内側壁となる両壁部の隙間Ｓを可変として成ることを特徴とするものである。
【００１５】
このような構成とすることで、要求される吊り下げ荷重に応じて、異なる径のワイヤ６に対応して容易に溝幅を設定することができる。
【発明の効果】
【００１６】
本発明にあっては、複数本のワイヤを回転ドラムの外周部に形成した一条の凹溝に巻取るようにしたことで、回転ドラムに設ける凹溝の数を少なくして、回転ドラムの回転軸方向における凹溝の幅を短くすることができ、照明用昇降装置の小型化、省スペース化が図られると共に、製造コストを低く抑えることができるものである。
【発明を実施するための最良の形態】
【００１７】
以下、本発明を図１乃至図８に示す実施形態に基いて説明する。図１は本発明の斜視図、図２は全体分解斜視図、図３及び図４は回転ドラムの斜視図及び側断面図、図５は駆動モーターと回転ドラムの噛み合いの斜視図、図６及び図７は主にボールベアリングの説明の側断面図、図８は回転ドラムにワイヤを巻き掛けた状態におけるワイヤ押え部を除いた部分の下面図、図９は照明器具を吊り下げた状態の斜視図である。
【００１８】
照明用昇降装置は、昇降装置本体１の外殻をなす本体ケーシング１０と、本体ケーシング１０内に回転自在に支持される回転ドラム２と、この回転ドラム２を回転駆動させるための駆動モーター５と、前記回転ドラム２の外周部に巻回されるワイヤ６と、で主体が構成される。
【００１９】
本体ケーシング１０は天井に取り付けられるもので、上ケース１０ａと下ケース１０ｂとで構成される。
上ケース１０ａは、略円筒状の側壁部１１と、この側壁部１１の上端開口に設けられる天板部１２と、天板部１２の中央部に設けられる回転ドラム収容部１４とで構成される。天板部１２には、中央部に略円形状の開口１３が形成してあり、この開口１３の内縁から下方に略円筒状の収容部側壁１４ａが連設されると共に、収容部側壁１４ａの下端に収容部底壁１４ｂが設けられて上方に開口する回転ドラム収容部１４が形成される。
【００２０】
この天板部１２には、その下面に駆動モーター５や、後述するがワイヤ６が巻回される滑車７等の機器が取り付けられる。回転ドラム収容部１４は、上記のように上方に開口する略有底円筒状をしたもので、その内部におよび該回転ドラム２を支持する支軸１６が収容される。
【００２１】
回転ドラム２は、二つの部材、すなわちドラム本体３と、ドラム本体３に取り付けられるワイヤ押え部４とで構成される略円筒状をしたもので、外周部には、回転面と平行かつ全周にわたって、ワイヤ６が巻き取り収納される一条の凹溝２０が形成される。本実施形態では、回転ドラム２はその回転軸が垂直（鉛直）となり凹溝２０を含む略平面が水平方向となるように配置される。ドラム本体３は、略円筒状をした本体胴部３１と、本体胴部３１の下端に設けられる本体底部３２とで構成される樹脂製で、本体底部３２には中央部に略円形状をした開口３２ａが形成してある。本体胴部３１は、上記回転ドラム収容部１４に収容されるもので、収容部側壁１４ａの内径より小径に形成してあり、上端部の外周に歯車部３１ａが形成してあり、駆動モーター５の出力軸５０の歯車部５１と噛み合うようになっている。駆動モーター５は、回転ドラム収容部１４の側方に隣接するように上記天板の下面に取り付けられ、回転ドラム収容部１４の駆動モーター５に隣接する部分には開口（図示せず）が形成され、この開口を介して駆動モーター５の出力軸５０の歯車部５１と本体胴部３１の歯車部３１ａとが噛み合っている。
【００２２】
本体底部３２の下面には、凹溝２０の底部を形成するための平面視略円形状をした凸段部３３を下方に突設している。本実施形態では、凸段部３３は周方向に三等分割されており、隣接する凸段部３３間には隙間Ｓが形成されてこの部分にワイヤ６の端部が固定されるもので、後で説明する。本体底部３２の下面の形状は、平面視において、本体胴部３１と重なる円形状をしているが、前記凸段部３３の外径は、本体底部３２の下面及び本体胴部３１の径よりも小径でその内側に位置しており、凸段部３３の外周側面３３ａが凹溝２０の底面２０ａとなる。そして、この凸段部３３の下面にワイヤ押え部４が取り付けられる。ワイヤ押え部４は、平面視環状をした板状の金属製で、平面視における形状は上記ドラム本体３の本体底部３２と略同じに形成してある。このワイヤ押え部４を平面視において前記本体底部３２と重なるように本体底部３２の下面に突設した凸段部３３に取り付けると、ワイヤ押え部４の上面は、ドラム本体３の本体底部３２の下面と距離をあけて配置されることとなり、ワイヤ６が巻き取り収納される凹溝２０となる。凹溝２０の幅は、ワイヤ６の径と略同じか若干ワイヤ６の径より長くするもので、例えばワイヤ６の径φ１．０５ｍｍに対して凹溝２０の幅は１．２ｍｍ程とする。また本実施形態では、凹溝２０の幅すなわち、ワイヤ押え部４の上面とドラム本体３の本体底部３２との距離が調節可能となっている。ワイヤ押え部４をドラム本体３の本体底部３２に取り付けるにあたっては、本実施形態では周方向の９箇所においてワイヤ押え部４に固定用のねじ孔４２を穿設すると共に、本体底部３２の前記ねじ孔４２に対応する部分に貫通孔３６を穿設し、本体底部３２の上面側から調整ねじ４３を前記貫通孔３６に挿通して前記ねじ孔４２に螺合させることで行なうが、この調整ねじ４３を回転させると、調整ねじ４３は本体底部３２に対して空回りして相対位置は変わらず、ワイヤ押え部４との螺合位置が変わってワイヤ押え部４と本体底部３２との距離が変わり、凹溝２０の幅が変わることとなる。また、調整ねじ４３にはワイヤ押え部４と本体底部３２との間にスプリング４４が圧縮して被嵌してある。
【００２３】
回転ドラム２の底部には、該回転ドラム２が載置される回転ドラム収容部１４の収容部底壁１４ｂと接触する部分に、ボールベアリング３５が設けてある。これは、回転ドラム２のドラム本体３の本体底部３２の下面の周方向の６箇所に筒状をしたボール収容部３５ａを形成し、この内部にボール３５ｂを収容するもので、ボール収容部３５ａの内部の内径をボール３５ｂの径よりも大径にし且つボール収容部３５ａの下端開口の内径をボール３５ｂの径よりも小径にしてある。ボール収容部３５ａ内の上部にはボール３５ｂが上方に移動するのを規制する押え部が設けてあり、ボール収容部３５ａ内に収容されたボール３５ｂはボール収容部３５ａの下端開口から下方に凸状に露出して回転自在となる。また、ドラム本体３の下面に取り付けられるワイヤ押え部４には、前記ボール収容部３５ａに対応する部分に挿通穴４１が形成してあり、この挿通穴４１を介して筒状をしたボール収容部３５ａは下方に突出する。これにより、回転ドラム２の最下端に回転自在なボール３５ｂが位置することとなる。
【００２４】
また回転ドラム２は、支軸１６に被嵌された状態で回転する。支軸１６は、回転ドラム２のドラム本体３の本体胴部３１内に嵌入される略円筒状をした筒状胴部１６ａを有し、この筒状胴部１６ａにより回転ドラム２の回転軸がずれないようにガイドされるもので、この支軸１６は筒状胴部１６ａの上端から略水平方向外側に連設されるフランジ１６ｂを上ケース１０ａに固定することで取り付けてある。
【００２５】
回転ドラム２に巻き取り収納されるワイヤ６は、一端部が回転ドラム２に固定されると共に他端部が照明器具８に固定されるのであるが（図８参照）、本発明ではワイヤ６は複数本であり、これらの複数本のワイヤ６が上記一条の凹溝２０内に巻き取り収納される。図８中の８１は電源コードを示し、８２は照明器具８に収納されたコードリールを示す。本実施形態ではワイヤ６は三本であり、各ワイヤ６は凹溝２０の底部に等間隔（本実施形態では１２０°間隔）で固定される。すなわち、上述したように周方向に三等分割された凸段部３３間の隙間Ｓから凸段部３３の内側に挿入したところで本体底部３２又はワイヤ押え部４に固定される。
【００２６】
ここで、ワイヤ６は、回転ドラム２を回転させた際、各ワイヤ６は回転ドラム２の外周略接線方向、（詳しくは、回転ドラム２の凹溝２０に巻き取り収納されている最外側のワイヤ６の接線方向）に張られた状態で巻き取り／送出されるが、同一の凹溝２０に複数のワイヤ６を巻き取り／送出するため、これらのワイヤ６は図に示すように平面視において巴状に巻き取り／送出される。回転ドラム２から導出されるワイヤ６は、上述した滑車７にて張られる方向が変わって下方へと伸びる。なお、ワイヤ６が回転ドラム２の凹溝２０の最外側のワイヤ６の外側に巻かれる部分と、該ワイヤ６が巻かれる滑車７と、を結ぶ直線上に位置する収容部側壁１４ａには、ワイヤ挿通穴１５が形成してあり、ワイヤ６と収容部側壁１４ａとの干渉が回避される。これにより、ワイヤ６によって照明器具８が吊り下げられ、回転ドラム２の回転（正転及び逆転）によってワイヤ６の巻き取り及び送出が行われ、照明器具８の昇降が行われる。
【００２７】
上述したように、本発明では、複数本のワイヤ６で照明器具８を吊り下げるものにおいて、回転ドラム２の一条の凹溝２０内に複数本のワイヤ６を全て巻き取り収納するようにしたことで、回転ドラム２に形成する凹溝２０が一条で済んで、回転ドラム２に形成する凹溝２０の幅が短くて済み、回転ドラム２の回転軸方向の長さを短縮できて、照明用昇降装置の小型化、省スペース化が図られる。
【００２８】
また、回転ドラム２の凹溝２０を含む略平面が水平となるように配設したことで、回転ドラム２の上下長さを短くし、照明用昇降装置の上下長さを短くすることができる。
【００２９】
また、回転ドラム２をドラム本体３部とワイヤ押え部４という別々の部材とし、それぞれの部材で凹溝２０の内側壁をそれぞれ形成するようにしたことで、一つの部材（本実施形態では樹脂製のドラム本体３部）に凹溝２０のような凹みが存在し、スライド金型が必要となり金型構造が複雑となって製造コストが高くなってしまう、といったことがなく、また、凹溝２０が一条であるため部品点数も二つで済むため、部品点数が増えて高価となってしまい、製造コストが高くなる、ということがないものである。
【００３０】
また、回転ドラム２の凹溝２０を含む略平面が水平となるように配設したことで、回転ドラム２の上下長さを短くし、照明用昇降装置の上下長さを短くすることができ、また、滑車７の取り付け高さを同じとして滑車７の寸法も同じとすることができ、部品の共用化が図られる。
【００３１】
また、ワイヤ６が、前記回転ドラム２に３６０°／ｎ（ｎはワイヤ６の本数）の等角度間隔で係止され、前記回転ドラム２の外周略接線方向に導出されるようにしたことで、ワイヤ６の長さを同じ寸法とすることができ、部品の種類を低減することができ、また、照明器具８（特に丸型照明器具８）を吊り下げる場合に照明器具８側へのワイヤ６の係止位置を正多角形状に配置可能となり、バランスよく吊り下げ易くなるものである。また、凹溝２０の幅を調整可能とすることにより、要求される吊り下げ荷重に応じて、異なる径のワイヤ６に対応して容易に溝幅を設定することができる。
【図面の簡単な説明】
【００３２】
【図１】本発明の一実施形態の回転ドラムと駆動モーターと滑車の下方より見た斜視図である。
【図２】同上の実施形態の下方より見た全体分解斜視図である。
【図３】同上において回転ドラム（ドラム本体及びワイヤ押え部）にワイヤを取り付けた状態の下方より見たドラム本体とワイヤ押え部の分解斜視図である。
【図４】同上における回転ドラムの側断面図である。
【図５】同上においてドラム本体の歯車部と駆動モーターの歯車部の噛み合い状態の上方より見た斜視図である。
【図６】同上におけるドラム本体に支軸を取り付けた状態の側断面図である。
【図７】同上の要部拡大側断面図である。
【図８】同上の回転ドラムにワイヤを巻き掛けた状態におけるワイヤ押え部を除いた部分の下面図である。
【図９】本発明の照明用昇降装置により照明器具を吊り下げた状態の斜視図である。
【符号の説明】
【００３３】
１    昇降装置本体
１０  本体ケーシング
１４  回転ドラム収容部
２    回転ドラム
２０  凹溝
３    ドラム本体
３１ａ  歯車部
３２  本体底部
３３  凸段部
３３ａ  外周側面
３５  ボールベアリング
４    ワイヤ押え部
５    駆動モーター
５１  歯車部
６    ワイヤ
７    滑車
８    照明器具
【図１】
2008091152.tif 000003
【図２】
2008091152.tif 000004
【図３】
2008091152.tif 000005
【図４】
2008091152.tif 000006
【図５】
2008091152.tif 000007
【図６】
2008091152.tif 000008
【図７】
2008091152.tif 000009
【図８】
2008091152.tif 000010
【図９】
2008091152.tif 000011